(57)【要約】【課題】  ブラシ本体に含有させた薬剤を効率良く使用することができる、駆虫用ブラシを提供する。【解決手段】  末端が固定された複数のブラシ毛１０…を有するブラシ本体２を備えており、当該ブラシ本体２における、少なくともブラシ毛１０…は樹脂および駆虫用薬剤を含有し、徐放性を有する樹脂組成物からなっている駆虫用ブラシにおいて、上記ブラシ毛１０…の比表面積は、先端側が最も大きくなっている。【選択図】  図１
2006191818.tif 000002
【特許請求の範囲】
【請求項１】
末端が固定された複数の毛状突起部を有するブラシ本体を備えており、当該ブラシ本体における、少なくとも毛状突起部は樹脂および駆虫用薬剤を含有し、徐放性を有する樹脂組成物からなっている駆虫用ブラシにおいて、
上記毛状突起部の比表面積は、先端側が最も大きくなっていることを特徴とする駆虫用ブラシ。
【請求項２】
上記毛状突起部は、末端から先端に向かうにつれて比表面積が徐々に大きくなっていることを特徴とする請求項１に記載の駆虫用ブラシ。
【請求項３】
上記毛状突起部の比表面積は、当該毛状突起部の断面積の変化、当該毛状突起部の断面形状の変化、当該毛状突起部の表面に対する凹凸の形成、当該毛状突起部の部分的な形状の変化、の少なくとも何れかにより変化させることを特徴とする請求項１または２に記載の駆虫用ブラシ。
【請求項４】
上記駆虫用薬剤は、当該薬剤の樹脂に対する飽和溶解量の１．１倍以上１０倍以下で、上記樹脂組成物中に含有されていることを特徴とする請求項１ないし３のいずれか１項に記載の駆虫用ブラシ。
【請求項５】
上記樹脂組成物には、さらに、駆虫用薬剤の徐放を調整する蒸散性可塑剤が含有されていることを特徴とする請求項１ないし４のいずれか１項に記載の駆虫用ブラシ。
【請求項６】
上記蒸散性可塑剤は、液体エステル、液体アルコール、液体ケトン、香料、および動植物精油からなる群より選ばれる少なくとも一種であることを特徴とする請求項５に記載の駆虫用ブラシ。
【請求項７】
上記蒸散性可塑剤は、樹脂１００重量部に対して０．１重量部以上１００重量部以下で上記樹脂組成物中に含有されていることを特徴とする請求項５または６に記載の駆虫用ブラシ。
【請求項８】
上記蒸散性可塑剤の２０℃における蒸気圧をＰ１とすると、当該蒸散性可塑剤では、次式
０．１３Ｐａ≦Ｐ１≦１３０００Ｐａ
を満たすことを特徴とする請求項５ないし７のいずれか１項に記載の駆虫用ブラシ。
【請求項９】
上記駆虫用薬剤の２０℃における蒸気圧をＰ２とすると、当該駆虫用薬剤と蒸散性可塑剤においては、次式
２≦Ｐ１／Ｐ２≦１０１０
を満たすことを特徴とする請求項８に記載の駆虫用ブラシ。
【請求項１０】
上記樹脂は、熱可塑性樹脂、熱硬化性樹脂、合成ゴム、または熱可塑性エラストマーであることを特徴とする請求項１ないし９のいずれか１項に記載の駆虫用ブラシ。
【請求項１１】
さらに、把持部および上記ブラシ本体を担持する担持部を有する柄部を備えていることを特徴とする請求項１ないし１０のいずれか１項に記載の駆虫用ブラシ。
【請求項１２】
上記ブラシ本体を覆って着脱自在に装着される被覆部材を備えていることを特徴とする請求項１ないし１１のいずれか１項に記載の駆虫用ブラシ。
【請求項１３】
上記被覆部材が開口部を有することを特徴とする請求項１２に記載の駆虫用ブラシ。
【請求項１４】
ガスおよび／または液状物の透過を抑制する性質を有する包装容器に収納されていることを特徴とする請求項１ないし１３のいずれか１項に記載の駆虫用ブラシ。
【発明の詳細な説明】
【技術分野】
【０００１】
本発明は、駆虫用ブラシに関するものである。より詳しくは、ブラッシングによって犬や猫などの動物に寄生するノミやダニなどの害虫を駆除する駆虫用ブラシに関するものである。
【背景技術】
【０００２】
従来、犬や猫などの動物に寄生するノミやダニなどの害虫を駆除するためのブラシ（駆虫用ブラシ）が用いられている。この駆虫用ブラシは、動物の毛並みを整える、ブラッシングと同時に、害虫の駆除も行うことができる。
【０００３】
特許文献１に開示された駆虫用ブラシは、図９に示すように、複数のブラシ毛５４…を有するブラシ本体５０と、柄部５１とからなっている。このブラシ本体５０は、塩化ビニル樹脂などの熱可塑性樹脂から成形されている。また、ブラシ本体５０には、揮散性のある殺虫剤が、保留剤と共に含有されている。
【０００４】
そして、ブラシ本体５０の両側縁部には、突起５２・５２が設けられている一方、柄部５１の両側縁部には、溝５３・５３が設けられている。この突起５２・５２は、溝５３・５３に対して摺動自在に嵌め合わせることができる。つまり、ブラシ本体５０は、柄部５１に対して着脱可能である。
【０００５】
上記駆虫用ブラシを用いて、犬や猫などの動物をブラッシングすると、ブラシ本体５０に含有された殺虫剤が揮散して、動物に寄生するノミやダニなどの害虫を駆除することができる。また、殺虫剤が全て揮散した後でも、ブラシ本体５０を取り替えることが可能である。
【特許文献１】実開平１−１５５３５３号公報（平成１年１０月２５日  公開）
【発明の開示】
【発明が解決しようとする課題】
【０００６】
一般に、駆虫用ブラシは、ブラシとして毛並みを整えるという機能も有するため、この機能を損なわないような長さのブラシ毛を設ける必要がある。従って、特許文献１に記載の駆虫用ブラシもこのような長さのブラシ毛５４…を有している。
【０００７】
そして、特許文献１に記載の駆虫用ブラシでは、ブラシ本体５０に含有させた殺虫剤の揮散が、上記のような長さを有するブラシ毛５４…の至るところで起こる。このため、ブラッシングする際にブラシ毛５４…における動物の毛に埋没しないところからも殺虫剤が揮散してしまい、殺虫剤の無駄な揮散が多くなり、ブラシ本体５０に含有させた殺虫剤を効率良く使用することができないという問題があった。
【０００８】
本発明は、上記の問題点に鑑みてなされたものであり、その目的は、ブラシ本体に含有させた薬剤を効率良く使用できる、駆虫用ブラシを提供することにある。
【課題を解決するための手段】
【０００９】
本発明の駆虫用ブラシは、上記課題を解決するために、末端が固定された複数の毛状突起部を有するブラシ本体を備えており、当該ブラシ本体における、少なくとも毛状突起部は樹脂および駆虫用薬剤を含有し、徐放性を有する樹脂組成物からなっている駆虫用ブラシにおいて、上記毛状突起部の比表面積は、先端側が最も大きくなっていることを特徴としている。
【００１０】
ここで、比表面積とは、単位質量あたりの表面積のことをいう。上記構成によれば、毛状突起部の比表面積は、先端側が最も大きくなっている。そして、毛状突起部の比表面積と、駆虫用薬剤の残存率との関係は、毛状突起部の比表面積が大きくなるほど、駆虫用薬剤の残存率が小さくなることが分かっている。つまり、毛状突起部の先端側に含有された駆虫用薬剤の残存率が最も小さくなる。
【００１１】
さらに、毛状突起部に含有させた駆虫用薬剤は、相対的に比表面積が大きいところにおいて徐放（ブリード）が起こることが、本発明者らの実験により明らかになった。従って、毛状突起部における駆虫用薬剤のブリードは、主に比表面積が大きい先端側において起こる一方、毛状突起部の先端側以外の部分では駆虫用薬剤のブリードは、ほとんど起こらない。それゆえ、毛状突起部に含有させた駆虫用薬剤を効率良く使用することができる。
【００１２】
また、本発明の駆虫用ブラシでは、上記毛状突起部は、末端から先端に向かうにつれて比表面積が徐々に大きくなっていることが好ましい。
【００１３】
通常、駆虫用ブラシを用いて動物をブラッシングするときには、毛状突起部の先端が動物の毛に埋没するため、先端からの駆虫用薬剤の徐放が多い方がよい。上記したように、毛状突起部の比表面積が大きくなるほど、駆虫用薬剤の残存率が小さい。上記構成によれば、末端から先端に向かうにつれて比表面積が徐々に大きくなっているので、先端に向かうにつれて駆虫用薬剤の徐放を多くすることができる。
【００１４】
また、本発明の駆虫用ブラシでは、上記毛状突起部の比表面積は、当該毛状突起部の断面積の変化、当該毛状突起部の断面形状の変化、当該毛状突起部の表面に対する凹凸の形成、当該毛状突起部の部分的な形状の変化、の少なくとも何れかにより変化させることが好ましい。
【００１５】
上記構成によれば、毛状突起部の比表面積は、当該毛状突起部の断面積の変化、当該毛状突起部の断面形状の変化、当該毛状突起部の表面に対する凹凸の形成、当該毛状突起部の部分的な形状の変化、の少なくとも何れかにより変化させている。このため、毛状突起部における断面積、断面形状、表面形状、部分形状に種々のバリエーションをもたせて、比表面積を変化させることができる。従って、動物の特性に合わせて毛状突起部の形状を使い分けることができる。
【００１６】
また、本発明の駆虫用ブラシでは、上記駆虫用薬剤は、当該薬剤の樹脂に対する飽和溶解量の１．１倍以上１０倍以下で、上記樹脂組成物中に含有されていることが好ましい。
【００１７】
樹脂に対する駆虫用薬剤の含有量が１．１倍より少ないと、駆虫用薬剤のブリードが少なくなり、十分な駆虫効果を得ることができない。また、樹脂に対する駆虫用薬剤の含有量を１０倍より多くすると、駆虫用薬剤を樹脂に保存することが難しくなる。これに対して、上記構成によれば、樹脂に対する駆虫用薬剤の含有量が１．１倍以上１０倍以上となっている。従って、駆虫用薬剤に十分な駆虫効果を持たせた状態で、樹脂に保存することができる。
【００１８】
また、本発明の駆虫用ブラシでは、上記樹脂組成物には、さらに、駆虫用薬剤の徐放を調整する蒸散性可塑剤が含有されていることが好ましい。
【００１９】
上記構成では、樹脂組成物に駆虫用薬剤の徐放を調整する蒸散性可塑剤を含有させているので、駆虫用薬剤を樹脂組成物に保留させることができると共に、駆虫用薬剤の徐放の速度を調整することができる。
【００２０】
また、本発明の駆虫用ブラシでは、上記蒸散性可塑剤は、液体エステル、液体アルコール、液体ケトン、香料、および動植物精油からなる群より選ばれる少なくとも一種である
ことが好ましい。
【００２１】
また、本発明の駆虫用ブラシでは、上記蒸散性可塑剤は、樹脂１００重量部に対して０．１重量部以上１００重量部以下で上記樹脂組成物中に含有されていることが好ましい。
【００２２】
上記構成によれば、蒸散性可塑剤の樹脂組成物への含有量が、樹脂１００重量部に対して０．１重量部以上、１００重量部以下であるので、駆虫用薬剤を樹脂組成物中に安定的に保持でき、かつ、蒸散性可塑剤を樹脂組成物中に安定的に保持することができる。
【００２３】
また、本発明の駆虫用ブラシでは、上記蒸散性可塑剤の２０℃における蒸気圧をＰ１とすると、当該蒸散性可塑剤では、次式、０．１３Ｐａ≦Ｐ１≦１３０００Ｐａを満たすことが好ましい。
【００２４】
上記構成によれば、蒸散性可塑剤の２０℃における蒸気圧をＰ１とすると、０．１３Ｐａ≦Ｐ１を満たしている。従って、樹脂組成物からの駆虫用薬剤のブリードを促進することができる。また、上記Ｐ１は、Ｐ１≦１３０００Ｐａ満たしている。従って、樹脂組成物の加工を容易に行うことができる。
【００２５】
また、本発明の駆虫用ブラシでは、上記駆虫用薬剤の２０℃における蒸気圧をＰ２とすると、当該駆虫用薬剤と蒸散性可塑剤においては、次式、２≦Ｐ１／Ｐ２≦１０１０を満たすことが好ましい。従って、蒸散性可塑剤の蒸気圧と駆虫用薬剤の蒸気圧との差が大きいため、開放条件下でも樹脂組成物からの駆虫用薬剤の放出挙動の効果を大きくすることができる。
【００２６】
また、本発明の駆虫用ブラシでは、上記樹脂は、熱可塑性樹脂、熱硬化性樹脂、合成ゴム、または熱可塑性エラストマーであることが好ましい。上記構成によれば、上記樹脂が、熱可塑性樹脂、熱硬化性樹脂、合成ゴム、または熱可塑性エラストマーであるため、容易に上記樹脂に薬剤を含有させることができる。
【００２７】
また、本発明の駆虫用ブラシでは、さらに、把持部および上記ブラシ本体を担持する担持部を有する柄部を備えていることが好ましい。
【００２８】
一般に、駆虫用薬剤を含有させた樹脂組成物からなる毛状突起部を有するブラシ本体は、直接手で触れると人体に悪影響を及ぼす虞がある。これに対して、上記構成によれば、担持部にブラシ本体を担持させて、把持部を掴むことができ、ブラシ本体の毛状突起部に直接触れることを防止することができる。
【００２９】
また、本発明の駆虫用ブラシでは、上記ブラシ本体を覆って着脱自在に装着される被覆部材を備えていることが好ましい。
【００３０】
上記構成によれば、駆虫用ブラシは、ブラシ本体を覆って着脱自在に装着される被覆部材を備えている。従って、不使用時に誤ってブラシ本体に手を触れることを防止することができる。
【００３１】
また、本発明の駆虫用ブラシでは、上記被覆部材が開口部を有することが好ましい。
【００３２】
上記構成によれば、上記被覆部材が開口部を有している。従って、不使用時に被覆部材を装着させておけば、開口部から新鮮な空気が送りこまれ、駆虫用薬剤のブリードを促進することができる。
【００３３】
また、本発明の駆虫用ブラシでは、ガスおよび／または液状物の透過を抑制する性質を有する包装容器に収納されていることが好ましい。
【００３４】
上記構成によれば、上記駆虫用ブラシは、ガスおよび／または液状物の透過を抑制する性質を有する包装容器に収納されている。上記構成によれば、駆虫用ブラシの少なくとも毛状突起部に含有された駆虫用薬剤の透過が抑制され、高い気密性を維持することができる。
【発明の効果】
【００３５】
本発明に係る駆虫用ブラシは、以上のように、末端が固定された複数の毛状突起部を有するブラシ本体を備えており、当該ブラシ本体における、少なくとも毛状突起部は樹脂および駆虫用薬剤を含有し、徐放性を有する樹脂組成物からなっている駆虫用ブラシにおいて、上記毛状突起部の比表面積は、先端側が最も大きくなっている。これにより、ブラシ本体の少なくとも毛状突起部に含有された駆虫用薬剤を効率良く使用することができるという効果を奏する。
【発明を実施するための最良の形態】
【００３６】
本発明の実施の一形態について、図１ないし図８に基づいて説明すると、以下の通りである。
【００３７】
本実施の形態の駆虫用ブラシは、犬や猫などの動物に対してブラッシングをすることによって、これらの動物の毛並みを美しく整えたり、毛の汚れを落としたりすると同時に、これらの動物に寄生するノミやダニなどの害虫を駆除するためのものである。
【００３８】
上記駆虫用ブラシは、図１に示すように、柄部１と、ブラシ本体２とを有している。さらに、この駆虫用ブラシには、同図において破線で示されているように、透明のキャップ（被覆部材）１１が取り付けられている。
【００３９】
上記柄部１は、図２に示すように、駆虫用ブラシを掴むための把持部３と、ブラシ本体２を取り付けるためのブラシ取付部（担持部）４とから成っている。柄部１は、例えばプラスチックまたは金属などの材質から形成されているが、柄部１の材質は、これらに限定されない。また、把持部３およびブラシ取付部４は、同一の材質にて形成されていてもよく、異なる材質にて形成されていてもよい。
【００４０】
上記把持部３は、掴み易さを考慮して、把持部３の長手方向の両端へ近づくにつれて幅が少しずつ小さくなるように、形状が湾曲している板状体である。すなわち、把持部３の形状は、上方から見ると、略楕円形をしている。しかしながら、把持部３の形状は、これに限らず、例えば幅が一定であるもの、または、上方から見て三角形をしているものなど、把持可能であるという機能が損なわれなければ、特に限定されない。
【００４１】
また、把持部３の一方の面における上記ブラシ取付部４との境界付近には、窪部７が形成されてもよい。この窪部７に親指をあてることによって安定して把持部３を掴むことができる。
【００４２】
上記ブラシ取付部４は、上記把持部３と一体に形成されている。そして、このブラシ取付部４は、ブラシ本体２を担持する役割を有している。ブラシ取付部４は、把持部３と同様に略楕円形をした板状体であるが、ブラシ取付部４の形状は、これに限らず、矩形状、円形状などでもよく、ブラシ本体２を担持することができるものであれば、特に形状は問わない。
【００４３】
そして、ブラシ取付部４は、一方の面に、ブラシ本体２を取り付けるための凹部５を有している。そして、この凹部５にブラシ本体２を嵌め込むことができるようになっている。この凹部５は、ブラシ本体２の取り付け易さや省スペース化を図るために形成されていることが好ましいが、必ずしも設けられている必要はない。例えばブラシ取付部４に凹部５が設けられておらず、ブラシ取付部４の表面がフラットであっても、該表面にブラシ本体２を接着剤などで取り付けることも可能である。
【００４４】
さらに、凹部５の側壁１３の下端部には、この側壁１３に沿って嵌合凹部１２が設けられている。この嵌合凹部１２は、後述する嵌合凸部１５と嵌めあって、ブラシ本体２をブラシ取付部４に固定する役割を有している。なお、この嵌合凹部１２は、必ずしも備えられている必要はない。なお、嵌合凹部１２が備えられていない形態については、後述する。
【００４５】
上記ブラシ本体２は、図１に示すように、上記ブラシ取付部４に取り付けられている。このブラシ本体２は、図３に示すように、板状のブラシ毛支持体（支持体）８と、この支持体８のブラシ毛支持面９から略垂直方向に突出して設けられた複数のブラシ毛（毛状突起部）１０…とを有している。なお、本実施の形態では、支持体８とブラシ毛１０…とが一体形成されているが、これに限らず、例えば支持体８に複数の小孔を設け、この小孔にブラシ毛１０…を差し込んでもよい。
【００４６】
支持体８の側面１７の下端部には、側面１７に沿うと共に、この側面１７から略垂直に突出して形成された嵌合凸部１５を有している。上記した通り、この嵌合凸部１５を上記嵌合凹部１２に嵌めあわせることによって、ブラシ本体２をブラシ取付部４にしっかりと固定することができる。さらに、ブラシ本体２に例えば樹脂組成物などの曲げることができる材質を用いることによって、容易に着脱可能である。なお、ブラシ本体２の材質については、後に詳述する。
【００４７】
なお、嵌合凹部１２および嵌合凸部１５は、必ずしも設けられなくとも、ブラシ本体２をブラシ取付部４に取り付けることができる。例えばブラシ本体２を凹部５に接着剤で取り付けた場合や凹部５とブラシ本体２との対応する位置に穴（不図示）を設けて、この穴に紐などを通して両者を互いに結びつけることによってブラシ本体２をブラシ取付部４に取り付けることができる。
【００４８】
次に、ブラシ本体２の材質および成分などについて、詳細に説明する。ブラシ本体２は樹脂組成物からなっている。そして、この樹脂組成物には、ノミやダニなどの害虫を駆除するための薬剤が含有されている。この樹脂組成物は、例えば熱可塑性樹脂、熱硬化性樹脂、合成ゴム、または熱可塑性エラストマーなどである。なお、ここではブラシ本体２が樹脂組成物からなっているとしたが、これに限らず、少なくともブラシ毛１０…が上記樹脂組成物からなっていればよい。
【００４９】
熱可塑性樹脂としては、例えばポリオレフィン系樹脂、ポリ塩化ビニル、ポリビニルアルコール、ポリカーボネート、ポリエステル、ポリスチレン、またはポリメチルメタクリレートなどを用いることができ、なかでもポリオレフィン系樹脂を用いることが好ましい。
【００５０】
ポリオレフィン系樹脂としては、具体的には、高密度ポリエチレン、低密度ポリエチレン、線状低密度ポリエチレン、超低密度ポリエチレン、エチレンと炭素数３以上のα−オレフィンとの共重合体などのポリエチレン樹脂、プロピレン単独重合体、プロピレンと炭素数４以上のα−オレフィンとのランダム共重合体やブロック共重合体、エチレン−メチルメタクリレート共重合体、エチレン−酢酸ビニル共重合体、エチレン−アクリル酸共重合体、エチレン−酢酸ビニル−メチルメタクリレート共重合体などのエチレン性不飽和結合を有するカルボン酸誘導体とエチレンとの共重合体、ポリビニルアルコール、ポリ酢酸ビニルなどの樹脂組成物、ポリブタジエン、ポリイソプレン、スチレン−ブタジエン共重合体などのゴム、環状オレフィンからなる重合体、およびその水素添加物石油樹脂、ロジン樹脂、クマロン−インデン樹脂、テルペン樹脂などが挙げられる。
【００５１】
熱硬化性樹脂としては、ポリウレタン、またはエポキシ樹脂などを挙げることができる。また、合成ゴムとしては、ＳＢＲ、またはＥＰＤＭなどを挙げることができる。
【００５２】
熱可塑性エラストマーとしては、オレフィン系熱可塑性エラストマー、またはスチレン系熱可塑性エラストマーなどを挙げることができる。より具体的には、オレフィン系熱可塑性エラストマーとして、エチレンまたはプロピレンを主成分とするエラストマーを挙げることができ、スチレン系熱可塑性エラストマーとして、スチレンまたはブタジエンを主成分とするエラストマーを挙げることができる。
【００５３】
熱可塑性エラストマーは、合成ゴムとは架橋構造が異なり、例えば各成分が一部架橋した構造となっている。このため、加熱することによって流動性を示す。すなわち、加熱により熱可塑性樹脂としての挙動を示すため、取り扱い性が良好であるとともに、リサイクルも可能になる。
【００５４】
これら熱可塑性樹脂、熱硬化性樹脂、合成ゴム、または熱可塑性エラストマーとして例示した各化合物は、単独で使用してもよいし、２種以上を混合して使用してもよく、使用する薬剤の種類に適したものを選択することができる。
【００５５】
具体的には、これらの樹脂組成物のなかでも、これらの樹脂組成物に含有された薬剤の徐放（ブリード）速度を高めるという観点から、樹脂組成物の分子鎖の運動性が高く、ガラス転移温度が低い樹脂組成物がより好ましい。また、薬剤との間で化学反応などを起こさないものが好ましい。特に、熱可塑性樹脂は、賦形性、経済性に優れ、さらに、熱可塑性樹脂の種類や添加される添加剤の種類を適宜選択することによって、薬剤の溶解性や拡散性を広範囲で制御できることから、薬剤のブリードを制御する素材としてより好ましい。
【００５６】
また、上記ブラシ本体２を成形加工するとき、薬剤の分解、環境への蒸散、冷却水への溶出などにより、薬剤の消失を制御する観点から、低い温度で成形加工が可能な樹脂組成物を、上記熱可塑性樹脂から選択することが好ましい。
【００５７】
次に、上記樹脂組成物、すなわちブラシ本体２に含有させる薬剤（駆虫用薬剤）について、詳細に説明する。ここでは、ブラシ本体２に薬剤を含有させるとしたが、これに限定されず、少なくとも上記ブラシ毛１０…に上記薬剤を含有させればよい。
このような薬剤としては、犬や猫などの動物に寄生するノミやダニなどの害虫を駆除する効果を有するものであれば、特に限定されるものではない。具体的には、ピレスロイド化合物、有機リン化合物、カーバメート化合物、ネオニコチノイド化合物、または昆虫成長制御化合物などを使用することができる。
【００５８】
ピレスロイド化合物としては、例えばペルメトリン、アレスリン、プラレスリン、サイフェノトリン、フェノトリン、レスメトリン、エムペントリン、フェンバレレート、フェンプロパスリン、シハロトリン、サイフルトリン、エトフェンプロクス、トラロメスリン、エスビオスリン、トランスフルスリン、またはテラレスリンなどを挙げることができる。
【００５９】
有機リン化合物としては、例えばフェニトロチオン、ナレド、フェンチオン、シアノホス、クロルピリホス、ダイアジノン、カルクロホス、またはサリチオンなどを挙げることができる。カーバメート化合物としては、例えばメトキサジアゾン、プロポクスル、カルバリル、またはフェノブカルブなどを挙げることができる。
【００６０】
ネオニコチノイド化合物としては、例えばイミダクロプリド、アセタミプリド、またはニテンピラムなどを挙げることができる。昆虫成長制御化合物としては、例えばピリプロキシフェン、メソプレン、ヒドロプレン、ジフルベンズロン、シロマジン、フェノキシカーブ、またはルヌェヌロンなどを挙げることができる。
【００６１】
なお、上記薬剤には、光学活性体を含む化合物があるが、これらも使用できることは言うまでもない。また、上記薬剤は、それぞれ単独で使用してもよいし、２種類以上を混合して使用することもできる。さらに、上記薬剤に加えて、薬剤の駆虫効果を高める効力増強剤を併用してもよい。効力増強剤としては、例えばピペロニルブトキサイド、サイネピリン−２２２、オクタクロロジプロピルエーテル、またはＭＧＫ−２６４などを用いることができる。
【００６２】
また、防ダニ用の薬剤として、トリフルオロメタンスルホン酸アニリド系化合物などの防ダニ剤を使用することもできる。また、虫などを避ける効果を有する薬剤として、Ｎ，Ｎ−ジエチル−ｍ−トリアミド、またはカラン−３，４−ジオールなどの忌避剤を使用することもできる。さらに、防菌・防黴、および防汚用の薬剤として、Ｎ−フェニルベンゾイソチアゾロン−３などのイソチアゾリン系化合物、４，６−ジメチル−２−（６−フェニルピリジン−２−イル）ピリミジンなどのピリジルピリミジン系化合物、オキソニック酸、バイナジンなどの防菌・防黴剤や防汚剤を使用することもできる。
【００６３】
その他、市販の除草剤、植物成長調節剤を薬剤として使用することもできる。さらに、上記薬剤と共に防錆剤、滑剤、抗ブロッキング剤、界面活性剤、または帯電防止剤などのいわゆる副資材を含有させてもよい。
【００６４】
本実施の形態において、これらの薬剤の上記樹脂組成物へ含有させる方法は、特に限定されるものではなく、樹脂組成物の原料を例えばバンバリーミキサー、スーパーミキサー、または押出機などの混合機を用いて混練した後に、粉末状あるいはペレット状の樹脂組成物としてから薬剤を含有することができる。なお、樹脂組成物を粉砕する方法についても特に限定するものではないが、例えば冷凍粉砕法が挙げられる。また、薬剤を含まないブラシ本体２を、予め成形し、得られたブラシ本体２を薬剤からなる液体に浸漬させる、または該液体を塗布することにより薬剤を含浸・吸収させるなどの方法により含有してもよい。
【００６５】
なお、薬剤の量が、該薬剤の樹脂組成物への飽和溶解量（後述）の１．１倍より少ない場合、薬剤のブリード量が少なく、十分な駆虫効果が得られない。よって薬剤の配合量としては、該薬剤の樹脂組成物への飽和溶解量の１．１倍以上であり、好ましくは１．２倍以上、さらに好ましくは１．５倍以上である。樹脂組成物中に含有される薬剤の上限は、特にないが、必要以上にその量が多すぎても保存中に薬剤のブリードが起こりやすくなるため、通常は、該薬剤の樹脂組成物への飽和溶解量の１０倍以下であることが好ましい。
【００６６】
ここで、薬剤の樹脂組成物への飽和溶解量とは、以下のような方法で求められる。適宜の大きさ、例えば長さ５ｃｍ、幅５ｃｍ、厚さ５００μｍの樹脂シートの重量を測定し、次いで２３℃の条件下で薬剤溶液に浸漬する。浸漬開始から数時間毎に樹脂シートを薬剤溶液から取り出して表面に付着した薬剤溶液を拭き取った後、樹脂シート重量を測定し、以下の手順でこの樹脂組成物に対する薬剤の飽和溶解度を決定する。
【００６７】
浸漬前の樹脂シート重量をＷ０とする。浸漬開始からｔ１時間後（ただし、０＜ｔ１≦１２）に１回目の樹脂シート重量測定を行い、このときの樹脂シート重量をＷ１、溶解度をＤ１とする［Ｄ１＝１００×（Ｗ１−Ｗ０）／Ｗ０］。浸漬開始からｔ２時間後（ただし、１２＜ｔ２）に２回目の樹脂シート重量測定を行う。
浸漬開始からｔｎ時間後のｎ回目（ただし、ｎは２以上の整数）の樹脂シート重量測定における樹脂シート重量をＷｎ、溶解度をＤｎとすると、Ｄｎは以下の式（１）で求められる。
Ｄｎ（％）＝１００×（Ｗｎ−Ｗ０）／Ｗ０・・・（１）
浸漬開始後ｔｎ−１時間経過した時から浸漬開始後ｔｎ時間経過した時までの間の単位時間あたりの溶解度変化量をＥｎとすると、Ｅｎは、以下の式（２）で表わされる。
Ｅｎ＝（Ｄｎ−Ｄｎ−１）／（ｔｎ−ｔｎ−１）・・・（２）
Ｅｎが以下の式（３）を満たすこととなった時点での溶解度Ｄｎを、飽和溶解度と定義する。
１００×Ｅｎ／Ｅ１≦１・・・（３）
式（３）中、Ｅ１は、Ｅ１＝Ｄ１／ｔ１で定義される。
【００６８】
薬剤を２種類以上混合して使用する場合、当該薬剤の混合物が２３℃において液体である場合には、薬剤混合溶液に樹脂シートを浸漬し、上記した方法と同様にして薬剤混合溶液の樹脂組成物に対する飽和溶解度を決定する。
【００６９】
使用する薬剤が２３℃で固体である場合には、２３℃における飽和溶解度は、次のような方法で決定する。樹脂１００重量部に対して、薬剤を例えば５重量部添加し、溶融混練した後、プレスしてシート状とする。該シートを２３℃で一日放置した後、シート表面を拭き取り、拭き取り前後でのシート重量を比較する。拭き取りによってシート重量が減少した場合には、この樹脂組成物に対する薬剤の飽和溶解度は５重量％未満であると判断する。
【００７０】
次に、薬剤添加量を５重量部未満、例えば４重量部として同様の操作を行う。シート表面の拭き取りによってシート重量が減少しなかった場合には、この樹脂組成物に対する薬剤の飽和溶解度は、４重量％以上５重量％未満である。さらに厳密な飽和溶解度を求める必要がある場合には、薬剤添加量を４重量部以上、例えば４．５重量部添加して同様の操作を行う。薬剤を４重量部添加したものが、拭き取りによってシート重量が減少した場合は、さらに薬剤添加量を減らして同様の操作を行う。
【００７１】
このように薬剤添加量を調整しながら溶融混練、プレス、表面拭き取りの操作を繰り返す。拭き取りによってシート重量が減少しなくなったときの最大薬剤添加量と、拭き取りによってシート重量が減少するときの最小薬剤添加量とから、飽和溶解度を求めることができる。
【００７２】
薬剤を２種類以上混合して使用し、かつ当該薬剤の混合物が２３℃において固体である場合には、上述した方法と同様に、当該薬剤の混合物を樹脂組成物に溶融混練してシートを作製し、該シート表面を拭き取り、拭き取り前後のシート重量変化を調べる方法によって、飽和溶解度を求めることができる。
【００７３】
ここで、特に注目すべきは、上記ブラシ本体２、すなわち樹脂組成物には、薬剤に加えて、さらに蒸散性を有する可塑剤（蒸散性可塑剤）を含有させていることである。
【００７４】
樹脂組成物に、蒸散性可塑剤を含有させることにより、樹脂組成物中への薬剤の飽和溶解量が増加し、密封条件下では該樹脂組成物からの薬剤のブリードが抑制される。
【００７５】
一方、開放条件下では、蒸散性可塑剤の蒸散に伴い、薬剤の樹脂組成物中への飽和溶解量が減少し、その結果、過飽和となった薬剤が、差額をキャンセルするために樹脂組成物からブリードするという特異な放出挙動が実現できる。
【００７６】
なお、上記密封条件とは、ブラシ本体２からの蒸散性可塑剤の蒸散を抑制する環境が達成されるような条件であり、例えばガスバリヤー性を有する材料などでブラシ本体２を密封することにより達成できる。このガスバリヤー性を有する材料などについては、後に詳述する。
【００７７】
ここで上記蒸散性可塑剤とは、例えば２０℃における蒸気圧が０．１３Ｐａ（０．００１ｍｍＨｇ）以上である有機化合物である。樹脂組成物中からの薬剤のブリードをより促進するという観点から、１．３Ｐａ（０．０１ｍｍＨｇ）以上の値を示す有機化合物がより好ましく、１３Ｐａ（０．１ｍｍＨｇ）以上の値を示す有機化合物が特に好ましい。
【００７８】
蒸散性可塑剤の２０℃における蒸気圧の上限値は、特に制限はないが、成形加工性の観点から、通常、その沸点が樹脂組成物の溶融成形温度以上であることが好ましい。また、成形加工性の観点から、蒸散性可塑剤の蒸気圧の上限値は、通常、１３０００Ｐａ（１００ｍｍＨｇ）以下であり、１３００Ｐａ（１０ｍｍＨｇ）以下がより好ましく、１３０Ｐａ（１ｍｍＨｇ）以下が特に好ましい。
【００７９】
また、上述した、薬剤を樹脂組成物中により安定的に保持させるという効果の点から、蒸散性可塑剤は、樹脂組成物および薬剤に対する相溶性が良好である方がより好ましい。相溶性とは、溶解性あるいは混和性といった言葉でも表現することができ、（飽和）溶解度を決定する一つの重要な要因である。
【００８０】
相溶性の程度または（飽和）溶解度は、溶解度パラメーターや誘電率から推定することができるが、実験的には、一般的に知られた、例えば以下の方法が挙げられる。ポリ塩化ビニルに対する溶解度は、蒸散性可塑剤が蒸散しない条件下で、樹脂組成物、蒸散性可塑剤、薬剤からなる試験シートによるブリードテストを繰り返すことにより決定できる（参考文献：ポリ塩化ビニル−その基礎と応用−（社）近畿化学協会ビニル部会編 ｐ356−357 （１９８８）日刊工業新聞社）。また、ポリオレフィン系樹脂などの他の樹脂組成物に対する溶解度も同様な方法で決定できる。
【００８１】
蒸散性可塑剤は、常温（２３℃）で液体状（液体）のエステル、液体アルコール、液体ケトン、香料、または動植物精油などより選択することができる。液体エステルとしては、特に、フタル酸エステル類、直鎖二塩基酸エステル類、またはリン酸エステル類などが例示できる。本実施の形態において好適な蒸散性可塑剤の具体例としては、アジピン酸ジメチル、グルタル酸ジメチル、コハク酸ジメチル、フタル酸ジメチル、フタル酸ジエチル、リン酸トリエチル、リン酸トリブチル、ジメチルマレート、またはジメチルサクシネートなどが挙げられる。
【００８２】
また、蒸散性可塑剤の配合量は、薬剤を樹脂組成物中に、より安定的に保持させる効果と、蒸散性可塑剤を樹脂組成物中に、より安定的に保持できるという観点から、樹脂１００重量部に対して、０．１〜１００重量部、より好ましくは１〜５０重量部、さらに好ましくは、５〜３０重量部である。
【００８３】
また、上記蒸散性可塑剤と薬剤との組み合わせにおいて、以下の式（４）
Ｐ１／Ｐ２≧２・・・（４）
を満たすことが好ましい。なお、式（４）中、Ｐ１は蒸散性可塑剤の２０℃における蒸気圧を示し、Ｐ２は薬剤の２０℃における蒸気圧を示す。
【００８４】
Ｐ１／Ｐ２＜２の場合、蒸散性可塑剤の蒸気圧と薬剤の蒸気圧との差が小さいため、開放条件下でのブラシ本体２からの薬剤の放出挙動の効果が小さくなる。従って、放出挙動の効果をより大きくするという観点から、Ｐ１とＰ２の比は、Ｐ１／Ｐ２≧５がより好ましく、Ｐ１／Ｐ２≧１０がさらに好ましく、Ｐ１／Ｐ２≧１０００が特に好ましい。Ｐ１／Ｐ２の値は大きい程より好ましく、その上限値は特に制限はないが、通常は、１０１０以下である。
【００８５】
また、蒸散性可塑剤の配合量と薬剤の配合量との比は、求められるブリード特性、使用目的に応じて適宜決定される。例えば薬剤のブリードが始まるタイミングの調節を実現するためには、以下のように配合量を決定すればよい。
【００８６】
すなわち、使用開始からすぐに薬剤のブリードが始まるようにするためには、蒸散性可塑剤がわずかに蒸散しただけで、樹脂組成物中の薬剤の濃度が過飽和になるように薬剤の量に対する蒸散性可塑剤の量比を低く設定すればよい。
【００８７】
また、使用開始からある時間が経過した後に薬剤のブリードが始まるようにするためには、ある一定割合の蒸散性可塑剤が蒸散しないと、樹脂組成物中の薬剤の濃度が過飽和にならないように蒸散性可塑剤の量比を高く設定すればよい。薬剤の樹脂組成物への飽和溶解度は、上記した蒸散性可塑剤の場合と同様の方法で求めることができる。また、蒸散による蒸散性可塑剤の減少量（蒸散量）は、予め、ブラシ本体２中の蒸散性可塑剤の残存量の経時変化を測定しておくなどの方法により求めることができる。
【００８８】
また、薬剤のブリードが始まるタイミングの調節は、蒸散性可塑剤の配合量と薬剤の配合量との比を変化させる方法以外に、蒸散性可塑剤の蒸気圧を変えることによっても調節することができる。すなわち、薬剤のブリードが早く始まるようにするためには、蒸気圧のより高い蒸散性可塑剤を用いればよいし、逆に、遅くするためには、蒸気圧のより低い蒸散性可塑剤を用いればよい。
【００８９】
また、動物の種類などによって異なるが、本実施の形態の駆虫用ブラシは、約１週間に１度の頻度で使用することが好ましい。本実施の形態では、蒸散性可塑剤における上述した配合量・蒸気圧などの条件を適切に設定することによって、約１週間で１回使用する分の薬剤をブリードさせることができる。
【００９０】
ところで、ブラシ本体２を成形する方法は、例えば射出成形、押出成形、プレス成形、またはスラッシュ成形などの公知の成形方法を用いることができる。また、使用時の力学的物性の改善、薬剤のブラシ本体２表面における高濃度化、または加工樹脂の向上などの目的に応じて、適宜多層押出成形、多色射出成形、複合紡糸、または押出ラミネート成形の従来知られている種々の方法で加工することもできる。
【００９１】
また、特に、上記ブラシ毛１０…の形状は、図３に示すように、ブラシ毛支持面９から先端にいくにつれて断面の径が小さくなった、円錐形状である。本実施の形態のブラシ毛１０…の形状は、これに限られず、四角錐、または多角錐など、先端にいくにつれて断面積が小さくなっているものでもよい。さらに、これに限定されず、ブラシ毛１０…における先端側の断面の径が最も大きくなっていればよく、他の部分の径は、どのような大きさでもよい。
【００９２】
ここで、ブラシ本体２中、すなわち樹脂組成物中の薬剤の残存率Ｚ（ｔ）〔％〕は、以下の式（５）により求めることができる。
Ｚ（ｔ）＝１００×（１−Ｎａ）ｔ乗・・・（５）
但し、Ｎ：蒸散定数ｍｇ／ｍｇ・ｃｍ−１乗・ｄａｙ
ａ：比表面積（ｃｍ−１乗）
ｔ：時間（ｄａｙ）
である。
【００９３】
この式（５）から、樹脂組成物中の薬剤の残存率Ｚ（ｔ）は、比表面積ａが大きいほど、小さくなることが分かる。ここで、比表面積とは、単位質量あたりの表面積のことである。本実施の形態では、上記したように、ブラシ毛１０…は、先端にいくにつれて断面積が小さくなっている。すなわち、このブラシ毛１０…は、先端にいくほど、比表面積が大きくなっている。ゆえに、ブラシ毛１０…は、先端にいくほど薬剤の残存率が小さいことが分かる。
【００９４】
なお、本実施の形態ではブラシ毛１０…の断面積を変化させることでブラシ毛１０…の比表面積の大きさを変化させているが、これに限定されず、例えばブラシ毛１０…の断面形状を変化させたり、ブラシ毛１０…の表面に対する凹凸を形成させたり、ブラシ毛１０…に部分的な形状の変化を持たせたりしてもよい。例えば、ブラシ毛１０…の表面に凹凸部分を設けることにより、比表面積を変化させることができる。また、ブラシ毛１０…の内部に空洞部分を設けることによっても比表面積を変化させることができる。
【００９５】
式（５）を裏付ける実験例について、図４・５におけるグラフを用いて説明する。これらのグラフにおける横軸は、経過日数（日）を示している一方、縦軸は、薬剤残存率（ＶＥＰ残存率）を示している。例えば半径が１ｍｍ、５ｍｍ、１０ｍｍ、２０ｍｍであるそれぞれの球状樹脂組成物に薬剤を含有させて、それぞれを室温開放状態にしておくと、薬剤残存率（％）と経過日数（日）との関係は、図４に示すグラフのように、半径が小さいもの、すなわち、比表面積が大きいものほど、薬剤残存率が小さくなっていることが分かる。つまり、半径が１ｍｍの樹脂組成物の薬剤残存率が最も小さい一方、半径が２０ｍｍの樹脂組成物の薬剤残存率が最も大きくなる。
【００９６】
また、例えば径が０．１ｍｍφ、０．５ｍｍφ、１ｍｍφ、２ｍｍφ、５ｍｍφの棒状樹脂組成物に薬剤を含有させて、それぞれを室温開放状態にしておくと、薬剤残存率（％）と経過日数（日）との関係は、図５に示すグラフのように、径が小さいもの、すなわち、比表面積が大きいものほど、薬剤残存率が小さくなっていることが分かる。つまり、径が０．１ｍｍφの樹脂組成物の薬剤残存率が最も小さい一方、径が５ｍｍφの樹脂組成物の薬剤残存率が最も大きくなる。
【００９７】
上記の実験例および上記式（５）を踏まえて、本発明者らは、さらに、図３に示すブラシ毛１０…に蒸散性可塑剤を含有させて、室温開放状態にした場合にどのようになるかについて実験した。その結果、ブラシ毛１０…の最も径の小さな部分、すなわち先端部分から薬剤のブリードが盛んに起こる一方、その他の部分からの薬剤のブリードは、ほとんど起こらないことを発見した。
【００９８】
従って、ブラシ本体２の全体に薬剤を含有させた場合でも、従来のようにブラシ毛の至るところから薬剤がブリードすることを防止でき、薬剤のブリードの大半がブラシ毛１０…の先端から起こるため、効率良く含有させた薬剤を使用することができる。なお、ブラシ毛１０…の硬さは、特に限定されず、使用する動物によって変えることが可能である。
【００９９】
また、上記したように、ブラシ本体２には薬剤が含有されているので、ブラシ本体２に直接手を触れると、人体に悪影響を及ぼす虞がある。そこで、特に、幼児がブラシ本体２に触れることを防止する必要がある。
【０１００】
これに対して、本実施の形態の駆虫用ブラシでは、図１に示すように、ブラシ本体２を覆って透明なキャップ１１が着脱自在に装着されている。ブラシ本体２をキャップ１１で覆うことによって、直接ブラシ本体２に手が触れることを防止できる。すなわち、ここでいうキャップ１１は、いわゆるチャイルドプルーフとしての役割を有している。
【０１０１】
キャップ１１は、図６（ａ）（ｂ）に示すように、ブラシ本体２を覆うことができるように、内部がブラシ本体２と略同形状の空洞となっている共に、上方から見ると、楕円形となっている。但し、形状は楕円形に限定されず、ブラシ本体２の形状に合わせて種々変形可能である。また、キャップ１１の材質として、例えばプラスチック、金属などを用いることができる。
【０１０２】
なお、このキャップ１１は、駆虫用ブラシに常に装着されている必要はなく、駆虫用ブラシの使用時には取り外されることは言うまでもない。また、キャップ１１は、透明であるため図１では破線にて示されているが、図６（ａ）（ｂ）では、便宜上、実線にて示されている。
【０１０３】
なお、図６（ａ）は、キャップ１１を斜め上方から見た斜視図である一方、図６（ｂ）は、斜め下方から見た斜視図である。また、キャップ１１の上面には、これらの図に示すように、複数の円形の開口部２１…が形成されている一方、キャップ１１の側面には、複数の四角形の開口部２２…が形成されている。
【０１０４】
なお、図６（ａ）（ｂ）に示す開口部２１…・２２…の形状・数は、単なる一例にすぎず、これに限定されない。例えば開口部２１…・２２…は、両方ともが形成されている必要はなく、いずれか一方のみでもよい。また、開口部２１…・２２…は、必ずしも複数設けられる必要はなく、一つだけでもいいことは言うまでもない。また、キャップ１１は、中身が確認できるように、透明なものが好ましいが、必ずしも透明なものに限られない。
【０１０５】
ブラシ本体２のブラシ毛１０…からブリードした薬剤は、ブラッシングにより犬、猫などの動物の皮脂・体毛に移行して、一旦なくなる。このように一旦ブリードして薬剤がなくなった後に、ブラシ本体２にキャップ１１を被せて放置すれば、キャップ１１の開口部２１…・２２…を通してブラシ本体２へ新鮮な空気が送りこまれる。
【０１０６】
従って、ブラシ本体２に含有された蒸散性可塑剤が送りこまれた空気によって蒸散する。この蒸散性可塑剤の蒸散によって、薬剤のブラシ本体２中への飽和溶解度が減少し、過飽和となった薬剤が、差額をキャンセルするためにブラシ本体２からブリードする。適切な蒸散性可塑剤をブラシ本体２に含有させておくことにより、約１週間で１回使用分の薬剤をブリードさせることができる。つまり、使用後にキャップ１１を被せてから約１週間で、ブラシ毛１０…の先端に薬効が復元する。なお、１週間という期間は、単なる一例にすぎない。また、ブリードした有効成分は蒸気圧が低いため、ブラシ毛１０…にとどまる。
【０１０７】
また、図６（ａ）（ｂ）に示すように、キャップ１１の外側面の長手方向の一端には、凹部２３配設されている。この凹部２３を設けることにより、キャップ１１の取り外しが容易になると共に凹部２３が目印となってキャップ１１を駆虫用ブラシに取り付ける方向を間違うことを防止することができる。
【０１０８】
また、使用前、すなわち、販売段階に薬剤のブリードを止めるためには、駆虫用ブラシを密封状態にする必要がある。このため、駆虫用ブラシをバリヤー性を有するパッケージに収納する必要がある。
【０１０９】
このようなパッケージとしてのブリスター包装容器（包装容器）３０は、図７に示すように、シール部材としての台紙３１と、ブリスター部材３４とを有している。具体的には、バリヤー性を有し、かつ光透過性を有する（曇価２０以下）熱可塑性樹脂層が表面に形成されたシール部材としての台紙３１と、バリヤー性を有し、かつ光透過性を有する熱可塑性樹脂からなり、被包装体である駆虫用ブラシを収納するためのブリスター部材３４とが接着されている。すなわち、上記ブリスター包装容器３０によれば、駆虫用ブラシが外部から見えるように包装された状態となっている。
【０１１０】
なお、ブリスター部材３４は、中身である駆虫用ブラシを確認するために光透過性を有することが好ましいが、必ずしも光透過性を有している必要はない。また、上記台紙３１も光透過性を有していなくてもよい。なお、図７では、キャップ１１を外した駆虫用ブラシをブリスター包装容器に収納した状態を示しているが、駆虫用ブラシにキャップ１１を被せてブリスター包装容器に収納してもよいことは言うまでもない。
【０１１１】
台紙３１およびブリスター部材３４のバリヤー性とは、ガスおよび／または液状物の透過を抑制する性質のことを示し、特にガスの透過を抑制する用途において好適に用いられるものである。このようなバリヤー性を有するブリスター包装容器３０に、駆虫用ブラシを収納することによって、該駆虫用ブラシに含有された蒸散性可塑剤の蒸散が抑制され、薬剤のブリードを止めることができる。
【０１１２】
上記ブリスター部材３４は、駆虫用ブラシを収納するために該駆虫用ブラシの形状に沿って形成された収容部３４ａと、この収容部３４ａの外周縁に沿って形成された平面状のつば部３４ｂとで構成されている。このつば部３４ｂは、台紙３１に対する接着部となり、その一部は該台紙３１と接着されておらず、接着されたブリスター部材３４を台紙３１から剥がすための把手部３４ｃとなる。
【０１１３】
したがって、上記構成のブリスター包装容器３０では、把手部３４ｃを台紙３１から離すよう持ち上げることによって、つば部３４ｂを該台紙３１から剥がし、収納された駆虫用ブラシを取り出すようになっている。
【０１１４】
ここで、上記台紙３１とブリスター部材３４のつば部３４ｂとの接着機構について図８を参照しながら以下に説明する。なお、台紙３１およびブリスター部材３４における各層の層厚は、実際にはそれぞれ異なるが、図８では、説明の便宜上各層の層厚を略同一にしている。
【０１１５】
上記台紙３１は、図８に示すように、紙基材３５とガスバリヤー層３６とポリオレフィン層３７とをこの順に積層した３層構造となっている。これらの各膜厚は、紙基材３５が約５００μｍ、ガスバリヤー層３６が約２５μｍ、ポリオレフィン層３７が約３０μｍとなっている。
【０１１６】
上記紙基材３５は、例えばコートボール紙、カート紙、またはマニラボール紙により形成されている。上記ガスバリヤー層３６は、アルミニウム、またはポリエチレンテレフタレート（ＰＥＴ）などからなり主に台紙３１にガスバリヤー性を付与するための層である。上記ポリオレフィン層３７は、例えばＬ−ＬＤＰＥからなり、台紙３１に対して、主にブリスター部材３４との接着性を付与するための層である。
【０１１７】
上記紙基材３５とガスバリヤー層３６との間、およびガスバリヤー層３６とポリオレフィン層３７との間には、酢酸ビニル樹脂、エチレン−酢酸ビニル共重合体樹脂、またはアクリル系樹脂などの樹脂を介在させて、これらを接着させることにより、３層構造の台紙３１が構成されている。
【０１１８】
また、上記ブリスター部材３４は、図８に示すように、ガスバリヤー性を有し、かつ光透過性を有する熱可塑性樹脂からなり、台紙３１の最上層に相当するポリオレフィン層３７との接着面側から積層フィルム３８と、ＰＥＴ層３９とが積層された構造となっている。これら各層の層厚は、積層フィルム３８が約２５μｍ、ＰＥＴ層３９が約３５０μｍとなっている。なお、上記ガスバリヤー層３６、ポリオレフィン層３７、積層フィルム３８およびＰＥＴ層３９は、熱可塑性樹脂を用いて形成されている。
【０１１９】
上記積層フィルム３８は、主に上記ポリオレフィン層３７に対するイージーピール性、すなわち剥がし易さを付与するための層である。このようなポリオレフィン層３７に対するイージーピール性を有する素材としては、例えば東セロ株式会社製のＴＡＦ６１０Ｃが好適に用いられる。上記ＰＥＴ層３９は、ブリスター部材３４に対して、主にガスバリヤー性を付与する層である。このＰＥＴ層３９としては、例えばポリテック株式会社のＰＴ−７００が好適に用いられる。
【０１２０】
なお、ガスバリヤー性を付与する上記ガスバリヤー層３６および上記ＰＥＴ層３９は、上記で挙げたもの以外にも、低密度ポリエチレン（ＬＤＰＥ）、高密度ポリエチレン（ＨＤＰＥ）、未延伸ポリプロピレン（ＣＰＰ）、延伸ポリプロピレン（ＯＰＰ）、結晶性ポリエチレンテレフタレート（Ｃ−ＰＥＴ）、延伸ナイロン（ＯＮ）、ポリビニルアルコール（ＰＶＡ）、エチレンビニルアルコール共重合体積層（ＥＶＯＨ）、およびハイバリアーフィルムとして、ポリ塩化ビニリデン塗布延伸ポリプロピレン（ＫＯＰ）、ポリ塩化ビニリデン塗布ポリエステル（ＫＰＥＴ）、ポリ塩化ビニリデン塗布延伸ナイロン（ＫＯＮ）、ポリ塩化ビニリデン塗布セロファン（Ｋセロ）などが挙げられる。そして、とりわけＰＥＴ系樹脂が好適に用いられる。
【０１２１】
以上のことから、ブリスター部材３４のつば部３４ｂが加熱されることにより、積層フィルム３８とポリオレフィン層３７とが熱接着され、図７に示すように、台紙３１とブリスター部材３４とが接着されたブリスター包装容器３０となる。
【０１２２】
したがって、上記構成のブリスター包装容器３０では、バリヤー性を有するブリスター部材３４と台紙３１とを用い、さらに、ブリスター部材３４と台紙３１とは、該ブリスター部材３４の被包装体である駆虫用ブラシの収容部分である収容部３４ａの外側部近傍であるつば部３４ｂで連続的に熱接着されているので、ブリスター包装容器３０における気密性を高める構成となっている。
【０１２３】
このように気密性が高ければ、駆虫用ブラシとして、蒸散性物質を含むものを包装した場合、上記構成のブリスター包装容器３０内で蒸散性物質が蒸散することがなくなるので、ブリスター包装容器３０の開封まで駆虫用ブラシの品質を低下させることがなくなる。
【０１２４】
さらに、上記構成の台紙３１では、気密性を高めるために、紙基材３５上にブリスター部材３４に対する接着層となるバリヤー性を有し、かつ光透過性を有する熱可塑性樹脂層であるガスバリヤー層３６およびポリオレフィン層３７を設けた構成となっているので、アルミニウム箔やアルミニウム蒸着膜を使用したものよりも安価なものとなる。したがって、ブリスター包装容器３０自体を安価にすることができる。
【０１２５】
しかも、台紙３１は、基材として紙からなる紙基材３５を使用しているので、アルミニウム箔などとは異なり、被包装体の名称や説明などの印刷が容易に行える。
【０１２６】
なお、本実施の形態においては、上記ブリスター部材３４のつば部３４ｂと台紙３１との接着には、瞬間的に接着部分の樹脂組成物を熱融着させる所謂インパルスシール方法が用いられる。
【０１２７】
なお、本実施の形態では、ブリスター包装について説明したが、これに限定されず、駆虫用ブラシを例えばバリヤー性のある袋（スタンディングパック）に入れたり、またはバリアシュリンクした駆虫用ブラシをクリアケースに入れたりしてもよい。
【０１２８】
ところで、上述した薬剤のブリードが始まるタイミングの調節は、蒸散性可塑剤に加えて、さらにブリード促進剤を添加することによっても調節することができる。ブリード速度の調整もこれらの方法で達成できる。Higuchi らの擬定常仮定( 参考文献：Higuchi ら、J.Pharm.Sci.,vol.50,874(1961))を本実施の形態に適用すると、本実施の形態における薬剤のブリード速度は、ブラシ本体２の表面積、薬剤の拡散係数の平方根および薬剤の過飽和分に比例する。
【０１２９】
この知見により、薬剤のブリード速度を制御する場合、例えばブリード速度を高めるためには、薬剤の過飽和分を高めればよい。また、蒸散速度の速い蒸散性可塑剤、例えば蒸気圧の高い蒸散性可塑剤を用いることにより、使用初期のブリード速度を高めることもできる。
【０１３０】
上記樹脂組成物には、さらに必要に応じて、ブリード促進剤、上述した蒸散性可塑剤以外の可塑剤（以下、単に可塑剤と略す場合がある）、安定剤、充填剤、着色剤、酸化防止剤などを上記蒸散性可塑剤に合わせて適宜配合することができる。このうち、ブリード促進剤、可塑剤は、薬剤のブリード性を向上、あるいはブリードした薬剤の展着効果を向上させるなど、より有効にその活性を得ることを目的として、好適に用いることができる。ブリード促進剤は、薬剤のブリード性を向上させるために用いることができるが、特に、樹脂組成物中での薬剤の拡散性が低い場合に、拡散性を高めるために好適に用いることができる。
【０１３１】
かかるブリード促進剤としては、樹脂組成物中での拡散性が高いほど、樹脂組成物への溶解性が低いほど、また、蒸散性可塑剤への溶解性が高いほど好ましい。特に、カルボン酸がブリード促進剤としては好ましく、その具体例としては、ラウリン酸、ミリスチン酸、パルミチン酸、ステアリン酸などの脂肪酸や、安息香酸などの芳香族カルボン酸、酒石酸、フマル酸、リンゴ酸などのジカルボン酸、クエン酸などのトリカルボン酸が挙げられる。また、ポリジメチルシロキサン、ポリメチルフェニルシロキサンなどのシリコーン系化合物、フッ素系界面活性剤などもブリード促進剤として例示できる。
【０１３２】
ブリード促進剤の配合量は、前述したように、活性化合物のブリードが始まるタイミングにより、適宜設定できるが、通常、樹脂１００重量部に対して０．１〜１００重量部であり、１〜５０重量部がより好ましく、５〜２０重量部がさらに好ましい。
【０１３３】
また、本実施の形態の樹脂組成物として、ポリ塩化ビニル、ポリエステル、ポリビニルアルコールなどを用いる場合には、柔軟性や加工性などを付与するために通常用いられる可塑剤を配合することができる。また、ポリ塩化ビニルのように、薬剤の溶解性が大きい樹脂組成物を使用する場合には、蒸気圧が０．０１３Ｐａ（０．０００１ｍｍＨｇ）未満であり、樹脂組成物に対する相溶性が低い可塑剤を用いる方が好ましい。
【０１３４】
このような樹脂組成物に対する相溶性が低い可塑剤を用いることにより、薬剤の樹脂組成物に対する飽和溶解度を低下させ、薬剤のブリード性をより高める効果が期待できる。このような可塑剤としては、ポリ塩化ビニル樹脂に対する相溶性が低い可塑剤として知られているアジピン酸ジイソノニル、アジピン酸ジイソデシル、アゼライン酸ジ２−エチルヘキシル、セバシン酸２−エチルヘキシル、エポキシ化大豆油、または脂肪族系ポリエステルなどが挙げられる。これら可塑剤の配合量は、通常、樹脂１００重量部に対して、０．１〜２００重量部であり、好ましくは５〜１００重量部、さらに好ましくは２０〜６０重量部である。
【０１３５】
また、上記樹脂組成物は、脂肪族炭化水素を含んでいてもよい。脂肪族炭化水素としては、直鎖状脂肪族炭化水素、分岐を有する脂肪族炭化水素、または不飽和結合を有する脂肪族炭化水素などが挙げられる。また、本実施の形態に使用される置換基を有する脂肪族炭化水素における置換基としては、クロロ、またはブロモなどのハロゲンが挙げられる。このようなハロゲン化炭化水素の典型的な例として、１−クロロオクタン、２−クロロオクタン、１−ブロモオクタン、１−ブロモデカン、または１−ブロモドデカンなどが挙げられる。
【０１３６】
上記脂肪族炭化水素としては、炭素数が７〜１７である脂肪族飽和炭化水素を用いることが好ましく、さらに好ましくは炭素数が８〜１２である脂肪族飽和炭化水素であり、直鎖状脂肪族飽和炭化水素であることがより好ましい。具体的には、ｎ−ヘプタン、ｎ−オクタン、ｎ−デカン、またはｎ−ドデカンである。脂肪族炭化水素は単独で使用してもよいし、２種以上混合して使用してもよい。
【０１３７】
上記脂肪族炭化水素の含量は、該樹脂組成物中に含有される薬剤量の２０重量％以上であることが好ましい。脂肪族炭化水素の含量が、薬剤量の２０重量％よりも少ない場合、樹脂組成物に保存中に、薬剤のブリードを抑えることが困難となる。また、樹脂組成物中に含有される脂肪族炭化水素量の上限は特になく、その配合量によっても薬剤のブリード開始時期をコントロールすることができる。しかし樹脂組成物中に液体成分が多い場合は、成形が困難となるため、通常、薬剤と脂肪族炭化水素の液体成分とを合わせた含量が、樹脂組成物中の６０重量％以下であることが好ましい。
【０１３８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３９】
本発明に係る駆虫用ブラシは、犬や猫などの動物のブラシを製造する産業分野、駆虫用の薬剤を製造する産業分野、およびバリヤー性を有するパッケージに関する産業分野などに好適に用いることができる。
【図面の簡単な説明】
【０１４０】
【図１】本発明の実施の一形態の駆虫用ブラシの概略構成を示す斜視図である。
【図２】図１に示す駆虫用ブラシの柄部の概略構成を示す斜視図である。
【図３】図１に示す駆虫用ブラシのブラシ本体の概略構成を示す斜視図である。
【図４】球状樹脂組成物における薬剤残存率と、経過日数との関係を示すグラフである。
【図５】棒状樹脂組成物における薬剤残存率と、経過日数との関係を示すグラフである。
【図６】（ａ）は、図１に示す駆虫用ブラシを覆うキャップの概略構成を上方から見た斜視図であり、（ｂ）は、図１に示す駆虫用ブラシを覆うキャップの概略構成を下方から見た斜視図である。
【図７】図１に示す駆虫用ブラシからキャップを外してブリスター包装容器に収納した状態の概略構成を示す斜視図である。
【図８】図７に示すブリスター包装体のブリスター包装容器のブリスター部材と台紙との接着部分の断面図である。
【図９】従来の駆虫用ブラシの構成を示す分解斜視図である。
【符号の説明】
【０１４１】
１    柄部
２    ブラシ本体
３    把持部
４    ブラシ取付部（担持部）
１０  ブラシ毛（毛状突起部）
１１  キャップ（被覆部材）
２１  開口部
２２  開口部
３０  ブリスター包装容器（包装容器）
【図１】
2006191818.tif 000003
【図２】
2006191818.tif 000004
【図３】
2006191818.tif 000005
【図４】
2006191818.tif 000006
【図５】
2006191818.tif 000007
【図６】
2006191818.tif 000008
【図７】
2006191818.tif 000009
【図８】
2006191818.tif 000010
【図９】
2006191818.tif 000011
【手続補正書】
【提出日】平成18年1月23日(2006.1.23)
【手続補正１】
【補正対象書類名】明細書
【補正対象項目名】００９２
【補正方法】変更
【補正の内容】
【００９２】
ここで、ブラシ本体２中、すなわち樹脂組成物中の薬剤の残存率Ｚ（ｔ）〔％〕は、以下の式（５）により求めることができる。
Ｚ（ｔ）＝１００×（１−Ｎａ）ｔ・・・（５）
但し、Ｎ：蒸散定数ｍｇ／ｍｇ・ｃｍ−１・ｄａｙ
ａ：比表面積（ｃｍ−１）
ｔ：時間（ｄａｙ）
である。